(57)【要約】【課題】事故点探査時において、地絡故障電流の検出とともに地絡故障電流が流れる方向を確実に判別可能とすることにより、事故点探査における作業性の向上を実現したＣＴ受信器を提供すること。【解決手段】配電線に引っ掛ける引っ掛け部１０ｂを有する筐体１０と、筐体１０に設けられ、筐体１０が配電線に引っ掛けられた場合に配電線に沿って並べて配置され、配電線に流れるパルス状の地絡故障電流を検出する第１ＣＴセンサ２０及び第２ＣＴセンサ２２と、筐体１０に配置される第１発光部３０及び第２発光部３２と、第１ＣＴセンサ２０が先に地絡故障電流を検出した場合と、第２ＣＴセンサ２０が先に地絡故障電流を検出した場合とにおいて、第１発光部３０及び第２発光部３２を異なる発光態様で発光させる発光制御部５０と、を備える。【選択図】図１
2016128775.tif 000002
【特許請求の範囲】
【請求項１】
配電線に引っ掛ける引っ掛け部を有する本体と、
当該本体に設けられ、前記本体が配電線に引っ掛けられた場合に前記配電線に沿って並べて配置され、前記配電線に流れるパルス状の地絡故障電流を検出する第１ＣＴセンサ及び第２ＣＴセンサと、
前記本体に配置される発光部と、
前記第１ＣＴセンサが先に地絡故障電流を検出した場合と、前記第２ＣＴセンサが先に地絡故障電流を検出した場合とにおいて、異なる発光態様で前記発光部を発光させる発光制御部と、を備えることを特徴とするＣＴ受信器。
【請求項２】
前記発光部は、前記第１ＣＴセンサに対応する第１発光部と前記第２ＣＴセンサに対応する第２発光部とからなり、
前記発光制御部は、前記第１ＣＴセンサが先に地絡故障電流を検出した場合に前記第１発光部を発光させ、前記第２ＣＴセンサが先に地絡故障電流を検出した場合に前記第２発光部を発光させることを特徴とする請求項１記載のＣＴ受信器。
【請求項３】
前記第１発光部及び前記第２発光部は、地絡故障電流が流れる方向を示す矢印の表示態様で発光することを特徴とする請求項２記載のＣＴ受信器。
【発明の詳細な説明】
【技術分野】
【０００１】
本発明は、配電線事故時の事故点探査において、事故点を特定することに用いるＣＴ受信器に関する。
【背景技術】
【０００２】
事故点（地絡点）探査は、送信器、課電ケーブル及びＣＴ受信器によって構成される探査装置を使用して行われる。送信器は、アース接地して電線に直流パルス電圧を印加する直流電源である。ＣＴ受信器は、送信器が直流パルス電圧を印加した際に、電線に地絡故障電流が流れたか否かを検出するＣＴセンサと、その検出結果を発光態様によって作業員に報知するＬＥＤと、を備えている。ＣＴセンサは長尺の操作棒の先端部に取り付けられる。課電ケーブルは、送信器と電線とを接続するものである。
【０００３】
次に、事故点探査方法について説明する。例えば、三線の電線が架線された電柱において、まず、作業員は、課電ケーブルの一端を、故障停電区間内の変圧器用カットアウトスイッチに接続し、他端を送信器に接続して、三線の電線に直流パルス電圧を印加可能にする。また、別の作業員は、三本の電線に対してそれぞれＣＴ受信器を設置する作業を行う。
【０００４】
そして、電線にＣＴ受信器を設置した後に、送信器側の作業員が送信器を操作して、直流パルスを印加する。具体的に、送信機は、５ｋＶで２秒間隔、１０ｋＶ・１５ｋＶで６秒間隔の各直流パルス電圧を印加する。直流パルス電圧が印加されると、電柱間の電線において事故点を有する区間にパルス状の地絡故障電流が流れる。この地絡故障電流をＣＴセンサが検出した場合に、ＬＥＤが発光する。この時のＬＥＤの発光態様を別の作業員が視認することにより、事故点を有する電線を特定する。
【０００５】
また、従来におけるこの種の技術として、特許文献１に記載されているように、筐体内にＣＴ受信器と、ＣＴ受信器の検電結果を報知するＬＥＤを備え、電線に吊り下げて事故点探査を行う事故点探査用課電端子が提案されている。
【先行技術文献】
【特許文献】
【０００６】
【特許文献１】特開２０１１−１６３８５４号公報
【発明の概要】
【発明が解決しようとする課題】
【０００７】
ところで、現在の事故点探査においては、効率的に探査を行うために分岐元での電柱へ昇柱しての作業となる。しかし、配電線事故の発生時は、悪天候時や夜間等の作業性が悪い環境下であることが多いことから、ＣＴ受信器の掛け間違いや、作業員の判断ミスによって事故点方向を見誤ることがある。これが原因となって、作業員が無駄に時間を費やしてしまい、事故の復旧が遅れる事象がしばしば発生する。
【０００８】
特に、事故点方向を見誤ることについては、原因の一つに、既存のＣＴ受信器のパルス電流検出時の表示方法が、ＬＥＤ発光やブザー音であることにある。つまり、ＬＥＤ発光やブザー音により、ＣＴ受信器が地絡故障電流を検出していることは分かる。しかし、ＣＴ受信器におけるＬＥＤ発光やブザー音から、地絡故障電流が流れる方向を判別することは、作業員にとって困難である。
【０００９】
しかも、分岐電線の縁線の部分で接続が複雑な場合に、事故点探査の順序をとばしてしまうこともある。更に、事故点探査に時間がかかりすぎた場合には、地絡点の水分等が蒸発して、事故点が一時的に消滅してしまうこともある。
【００１０】
本発明は、このような問題点を解決し、事故点探査時において、地絡故障電流の検出とともに地絡故障電流が流れる方向を確実に判別可能とすることにより、事故点探査における作業性の向上を実現したＣＴ受信器を提供することを目的とする。
【課題を解決するための手段】
【００１１】
前記目的を達成するため、本発明は、次に記載する構成を備える。
【００１２】
（１）  配電線に引っ掛ける本体と、当該本体に設けられ、前記本体が配電線に引っ掛けられた場合に前記配電線に沿って並べて配置され、前記配電線に流れるパルス状の地絡故障電流を検出する第１ＣＴセンサ及び第２ＣＴセンサと、前記本体に配置される発光部と、前記第１ＣＴセンサが先に地絡故障電流を検出した場合と前記第２ＣＴセンサが先に地絡故障電流を検出した場合とにおいて、異なる発光態様で前記発光部を発光させる発光制御部と、を備えることを特徴とするＣＴ受信器。
【００１３】
（１）によれば、作業員が、発光部の発光態様を確認することにより、配電線に地絡故障電流が流れていること及び地絡故障電流が流れる方向を容易に判別することが可能になる。これにより、配電線において、ＣＴ受信器に対して左右いずれの側に事故点が存在するか容易に判別することが可能になり、事故点探査における作業性を向上させることが可能になる。
【００１４】
（２）  （１）において、前記発光部は、前記第１ＣＴセンサに対応する第１発光部と前記第２ＣＴセンサに対応する第２発光部とからなり、前記発光制御部は、前記第１ＣＴセンサが先に地絡故障電流を検出した場合に前記第１発光部を発光させ、前記第２ＣＴセンサが先に地絡故障電流を検出した場合に前記第２発光部を発光させることを特徴とするＣＴ受信器。
【００１５】
（３）  （２）において、前記第１発光部及び前記第２発光部は、地絡故障電流が流れる方向を示す矢印の表示態様で発光することを特徴とするＣＴ受信器。
【００１６】
（２）、（３）によれば、地絡故障電流が流れる方向をより分かり易く作業員に報知することが可能になる。
【発明の効果】
【００１７】
本発明によれば、地絡故障電流の検出とともに地絡故障電流が流れる方向を確実に判別することが可能になり、事故点探査における作業性を向上させることを可能する。
【図面の簡単な説明】
【００１８】
【図１】本発明の一実施形態におけるＣＴ受信器１の外観を示す斜視図である。
【図２】本発明の一実施形態におけるＣＴ受信器１の構成を示す説明図である。
【図３】第１ＣＴセンサ２０及び第１ＣＴセンサ２０の回路構成を示すブロック図である。
【図４】本実施形態におけるＣＴ受信器１の回路構成を示すブロック図である。
【図５】本実施形態におけるＣＴ受信器１の使用形態を示す説明図である。
【発明を実施するための形態】
【００１９】
以下、本発明の実施形態について、図面を参照しながら詳細に説明する。
図１は、本発明の一実施形態におけるＣＴ受信器１の外観を示す斜視図である。図２は、本発明の一実施形態におけるＣＴ受信器１の構成を示す説明図であり、図２（ａ）は正面図、図２（ｂ）は側面図、図２（ｃ）は下面図である。ＣＴ受信器１は、本体に相当する筐体１０と、第１ＣＴセンサ２０と、第２ＣＴセンサ２２と、第１発光部３０と、第２発光部３２と、を備えている。
【００２０】
筐体１０は、直方体の収納部１０ａと、この収納部１０ａの上端部から水平方向に直方体形状に延び、更に下方に延びる鉤状に形成された引っ掛け部１０ｂと、を備えている。すなわち、筐体１０は、側面視した場合に略Ｊ字形に形成されている。筐体１０は、引っ掛け部１０ｂに配電線１１０（図５参照）に挿入することによって配電線１１０に引っ掛けられる。
【００２１】
また、筐体１０は、収納部１０ａの下面に、絶縁操作棒１００の先端部に接続される連結部（図示せず）を備えている。
【００２２】
第１ＣＴセンサ２０及び第２ＣＴセンサ２２は、配電線１１０を流れる地絡故障電流を検知した場合に検知信号を出力するものである。第１ＣＴセンサ２０及び第２ＣＴセンサ２２は筐体１０の内部に配置される。
【００２３】
図３は、第１ＣＴセンサ２０の回路構成を示すブロック図であり、第１ＣＴセンサ２０は、コア２０ａと、整波回路２０ｂと、を備えている。コア２０ａは、Ｕ字型に構成されており、筐体１０が配電線１１０に引っ掛けられた際に、コア２０ａは配電線１１０を囲むように配置される。コア２０ａは、配電線１１０に地絡故障電流が流れることによるコア２０ａ付近の磁界の変化から誘導電流を発生させるものである。整波回路２０ｂは、この誘導電流をパルス波に整えて出力するものであり、このパルス波が検知信号として発光制御部５０に送信される。発光制御部５０の詳細については後述する。
【００２４】
第２ＣＴセンサ２２は、コア２２ａと、整波回路２２ｂと、を備えている。コア２２ａ及び整波回路２２ｂは、第１ＣＴセンサ２０のコア２０ａ及び整波回路２０ｂと同一であるため、説明は省略する。筐体１０が配電線１１０に引っ掛けられた場合に、コア２０ａとコア２２ａとは、配電線１１０に沿って並べて配置される。
【００２５】
また、図１において、第１発光部３０は、第１ＣＴセンサ２０が地絡故障電流を検知した場合に発光するものであり、第２発光部３２は、第２ＣＴセンサ２２が地絡故障電流を検知した場合に発光するものである。第１発光部３０及び第２発光部３２は、ＬＥＤからなり、引っ掛け部１０ｂの先端面に並べて配置される。また、第１発光部３０及び第２発光部３２は、矢印の表示態様で発光する。
【００２６】
本実施形態においては、図２に示すように、第１ＣＴセンサ２０（コア２０ａ）が向かって左側に、第２ＣＴセンサ２２（コア２２ａ）が向かって右側に配置されており、第２発光部３２が左側に、第１発光部３０が右側に配置されている。また、第２発光部３２は左向きの矢印、第１発光部３０は右向きの矢印として視認される。
【００２７】
図４は、本実施形態におけるＣＴ受信器１の回路構成を示すブロック図である。ＣＴ受信器１は、更に、発光制御部５０と、ブザー５２と、電源部５４と、を備えている。発光制御部５０は、第１ＣＴセンサ２０からの検知信号と、第２ＣＴセンサ２２からの検知信号とのどちらを先に受信したかを判定し、先に受信した検知信号を出力したＣＴセンサに対応する発光部を発光させる制御を行うものである。発光制御部５０には、第１ＣＴセンサ２０と、第２ＣＴセンサ２２と、第１発光部３０と、第２発光部３２と、ブザー５２とが接続される。
【００２８】
ブザー５２は、発光制御部５０の制御により、第１発光部３０又は第２発光部３２の発光と同時に鳴動する。
電源部５４は、第１ＣＴセンサ２０、第２ＣＴセンサ２２、第１発光部３０、第２発光部３２及びブザー５２の電源である。
【００２９】
次に、事故点探査時におけるＣＴ受信器１の動作について説明する。
作業員は、事故点探査の作業前に、絶縁操作棒１００の先端部にＣＴ受信器１を取り付けておく。そして、作業員は、探査装置の送信器（図示せず）から直流パルス電圧を印加している間に、絶縁操作棒１００を操作して、図５に示すように配電線１１０にＣＴ受信器１を引っ掛ける。
【００３０】
この時、配電線１１０に地絡故障電流が流れている場合には、この地絡故障電流を第１ＣＴセンサ２０及び第２ＣＴセンサ２２がそれぞれ検知して、発光制御部５０に検知信号を送信する。
【００３１】
発光制御部５０は、第１ＣＴセンサ２０及び第２ＣＴセンサ２２のいずれの検知信号を先に受信したかを判別する。そして、発光制御部５０による判別結果が、第１ＣＴセンサ２０が先である場合には、第１発光部３０を発光させるとともにブザー５２を鳴動させ、第２ＣＴセンサ２０が先である場合には、第２発光部３２を発光させるとともにブザー５２を鳴動させるように第１発光部３０、第２発光部３２及びブザー５２を制御する。
【００３２】
なお、配電線１１０に地絡故障電流が流れていない場合には、ＣＴ受信器１の第１発光部３０、第２発光部３２及びブザー５２は作動しない。
【００３３】
そして、作業員は、地上から第１発光部３０及び第２発光部３２の発光態様を確認することにより、地絡故障電流が流れる方向を把握することができる。つまり、発光している矢印の方向が、地絡故障電流が流れる方向となる。ここで、第１発光部３０及び第２発光部３２は地上側を向いているため、作業員は、第１発光部３０及び第２発光部３２の発光態様を容易に確認することが可能である。これにより、作業員は、ＣＴ受信器１に対して地絡故障電流が流れる方向の下流側に事故点が存在することから、ＣＴ受信器１に対して左右どちらの側を探査すればよいか容易に判断することが可能になる。
【００３４】
以上、説明したように構成された本実施形態によれば、第１発光部３０及び第２発光部３２の発光態様を確認することにより、配電線１１０における地絡故障電流が流れる方向を容易に判別することが可能になる。このように、地絡故障電流を検出したこと及び地絡故障電流が流れる方向を確実に判別することが可能になり、事故点探査に係る作業性を向上させることが可能になる。
【００３５】
また本実施形態によれば、第１ＣＴセンサ２０が先に地絡故障電流を検出した場合に第１発光部３０のみが発光し、第２ＣＴセンサ２２が先に地絡故障電流を検出した場合に第２発光部３２のみを発光させる。これにより、発光態様の違いを容易に判別することが可能になり、地絡故障電流が流れる方向を確実に判別することが可能になる。
【００３６】
また本実施形態によれば、第１発光部３０及び第２発光部３２は、地絡故障電流が流れる方向を矢印の表示態様で発光するため、地絡故障電流が流れる方向をより分かり易く作業員に報知することが可能になる。
【００３７】
以上、本発明の実施形態について説明したが、本発明の実施形態は、上述した実施形態に限るものではない。例えば、第１発光部３０及び第２発光部３２を色分けしてもよい。また、第１発光部３０及び第２発光部３２の配置箇所についても、作業員が見易い箇所にに適宜設定することが可能である。
【符号の説明】
【００３８】
１  ＣＴ受信器
１０ａ  収納部
１０ｂ  引っ掛け部
２０、２２  ＣＴセンサ
２０ａ、２２ａ  コア
２０ｂ、２２ｂ  整波回路
３０  第１発光部
３２  第２発光部
５０  発光制御部
５２  ブザー
５４  電源部
１００  絶縁操作棒
１１０  電線
【図１】
2016128775.tif 000003
【図２】
2016128775.tif 000004
【図３】
2016128775.tif 000005
【図４】
2016128775.tif 000006
【図５】
2016128775.tif 000007
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
配電線に引っ掛ける引っ掛け部を有する本体と、
当該本体に設けられ、前記本体が配電線に引っ掛けられた場合に前記配電線に沿って並べて配置され、前記配電線に流れるパルス状の地絡故障電流を検出する第１ＣＴセンサ及び第２ＣＴセンサと、
前記本体に配置される発光部と、
前記第１ＣＴセンサが時間的に先に地絡故障電流を検出した場合と、前記第２ＣＴセンサが時間的に先に地絡故障電流を検出した場合とにおいて、異なる発光態様で前記発光部を発光させる発光制御部と、を備えることを特徴とするＣＴ受信器。
【請求項２】
前記発光部は、前記第１ＣＴセンサに対応する第１発光部と前記第２ＣＴセンサに対応する第２発光部とからなり、
前記発光制御部は、前記第１ＣＴセンサが時間的に先に地絡故障電流を検出した場合に前記第１発光部を発光させ、前記第２ＣＴセンサが時間的に先に地絡故障電流を検出した場合に前記第２発光部を発光させることを特徴とする請求項１記載のＣＴ受信器。
【請求項３】
前記第１発光部及び前記第２発光部は、地絡故障電流が流れる方向を示す矢印の表示態様で発光することを特徴とする請求項２記載のＣＴ受信器。
【手続補正２】
【補正対象書類名】明細書
【補正対象項目名】００１２
【補正方法】変更
【補正の内容】
【００１２】
（１）  配電線に引っ掛ける本体と、当該本体に設けられ、前記本体が配電線に引っ掛けられた場合に前記配電線に沿って並べて配置され、前記配電線に流れるパルス状の地絡故障電流を検出する第１ＣＴセンサ及び第２ＣＴセンサと、前記本体に配置される発光部と、前記第１ＣＴセンサが時間的に先に地絡故障電流を検出した場合と前記第２ＣＴセンサが時間的に先に地絡故障電流を検出した場合とにおいて、異なる発光態様で前記発光部を発光させる発光制御部と、を備えることを特徴とするＣＴ受信器。
【手続補正３】
【補正対象書類名】明細書
【補正対象項目名】００１４
【補正方法】変更
【補正の内容】
【００１４】
（２）  （１）において、前記発光部は、前記第１ＣＴセンサに対応する第１発光部と前記第２ＣＴセンサに対応する第２発光部とからなり、前記発光制御部は、前記第１ＣＴセンサが時間的に先に地絡故障電流を検出した場合に前記第１発光部を発光させ、前記第２ＣＴセンサが時間的に先に地絡故障電流を検出した場合に前記第２発光部を発光させることを特徴とするＣＴ受信器。
【手続補正４】
【補正対象書類名】明細書
【補正対象項目名】００２５
【補正方法】変更
【補正の内容】
【００２５】
また、図１において、第１発光部３０は、第１ＣＴセンサ２０が時間的に先に地絡故障電流を検知した場合に発光するものであり、第２発光部３２は、第２ＣＴセンサ２２が時間的に先に地絡故障電流を検知した場合に発光するものである。第１発光部３０及び第２発光部３２は、ＬＥＤからなり、引っ掛け部１０ｂの先端面に並べて配置される。また、第１発光部３０及び第２発光部３２は、矢印の表示態様で発光する。
【手続補正５】
【補正対象書類名】明細書
【補正対象項目名】００２７
【補正方法】変更
【補正の内容】
【００２７】
図４は、本実施形態におけるＣＴ受信器１の回路構成を示すブロック図である。ＣＴ受信器１は、更に、発光制御部５０と、ブザー５２と、電源部５４と、を備えている。発光制御部５０は、第１ＣＴセンサ２０からの検知信号と、第２ＣＴセンサ２２からの検知信号とのどちらを時間的に先に受信したかを判定し、時間的に先に受信した検知信号を出力したＣＴセンサに対応する発光部を発光させる制御を行うものである。発光制御部５０には、第１ＣＴセンサ２０と、第２ＣＴセンサ２２と、第１発光部３０と、第２発光部３２と、ブザー５２とが接続される。
【手続補正６】
【補正対象書類名】明細書
【補正対象項目名】００３１
【補正方法】変更
【補正の内容】
【００３１】
発光制御部５０は、第１ＣＴセンサ２０及び第２ＣＴセンサ２２のいずれの検知信号を時間的に先に受信したかを判別する。そして、発光制御部５０による判別結果が、第１ＣＴセンサ２０が時間的に先である場合には、第１発光部３０を発光させるとともにブザー５２を鳴動させ、第２ＣＴセンサ２２が時間的に先である場合には、第２発光部３２を発光させるとともにブザー５２を鳴動させるように第１発光部３０、第２発光部３２及びブザー５２を制御する。
【手続補正７】
【補正対象書類名】明細書
【補正対象項目名】００３５
【補正方法】変更
【補正の内容】
【００３５】
また本実施形態によれば、第１ＣＴセンサ２０が時間的に先に地絡故障電流を検出した場合に第１発光部３０のみが発光し、第２ＣＴセンサ２２が時間的に先に地絡故障電流を検出した場合に第２発光部３２のみを発光させる。これにより、発光態様の違いを容易に判別することが可能になり、地絡故障電流が流れる方向を確実に判別することが可能になる。